(57)【要約】【課題】  非通電状態となったときに回路ブロックに漏洩電流が流れ込んでいるか否かを検出することが可能な回路装置および漏洩電流検出方法を提供する。【解決手段】  開閉器４ｃがオフのとき、第１回路ブロック２には電源電圧が供給される。このとき、第１回路ブロック２の出力端子２ａ１に発生する出力信号の電圧が、電源ライン４ｂの電圧にダイオード３ａの順方向電圧を加えた値より高くなると、第１回路ブロック２から信号線２ｂを介して第２回路ブロック３へ電流が漏洩し、この漏洩電流により、電源ライン４ｂの電圧が上昇する。電圧値異常検出回路６は、電源ライン４ｂの電圧が所定値を超えた際に検出信号を出力する。論理ゲート８は、開閉器４ｃがオフのときに電圧値異常検出回路６が出力した検出信号を警告表示装置７へ供給する。警告表示装置７は、検出信号が供給されると、表示または警報等の警告を発する。【選択図】      図１
2005351647.tif 000002
【特許請求の範囲】
【請求項１】
回路ブロックに漏洩電流が流れ込んでいるか否かを検出可能な回路装置であって、
第１電源電圧が供給される第１回路ブロックと、
第２回路ブロックと、
前記第１回路ブロックの出力端子と前記第２回路ブロックの入力端子との間に設けられた信号線と、
前記第２の回路ブロックに電源電圧を供給する電源ラインと、
前記第２回路ブロックの入力端子と前記電源ラインとの間に設けられたダイオードと、
前記電源ラインに前記第２回路ブロックの最低動作許容電圧以上の第２電源電圧を供給可能であり、かつ、前記第１回路ブロックに前記第１電源電圧が供給されている際に前記電源ラインの電圧を前記最低動作許容電圧より低くする、あるいは前記電源ラインへの電源電圧供給を遮断することが可能な電源装置と、
前記電源ラインの電圧が所定値を超えた際に検出信号を出力する電源電圧監視部と、
前記電源電圧監視部が前記検出信号を出力すると警告を発する警告部と、を含む回路装置。
【請求項２】
請求項１に記載の回路装置において、
前記電源電圧監視部は、前記所定値が変更可能である、回路装置。
【請求項３】
請求項１または２に記載の回路装置において、
前記電源電圧監視部は、
前記電源ラインの電圧が所定値を超えると前記検出信号を出力する電圧値異常検出回路と、
前記電圧値異常検出回路が出力した検出信号を、前記電源装置が前記第２電源電圧の前記電源ラインへの供給を遮断している際にのみ前記警告部に供給する検出信号出力制御部と、を含み、
前記警告部は、前記検出信号出力制御部から前記検出信号が供給されると前記警告を発する、回路装置。
【請求項４】
第１電源電圧が供給される第１回路ブロックと、第２回路ブロックと、前記第１回路ブロックの出力端子と前記第２回路ブロックの入力端子との間に設けられた信号線と、前記第２の回路ブロックに電源電圧を供給する電源ラインと、前記電源ラインに前記第２回路ブロックの最低動作許容電圧以上の第２電源電圧を供給可能であり、かつ、前記第１回路ブロックに前記第１電源電圧が供給されている際に前記電源ラインの電圧を前記最低動作許容電圧より低くする、あるいは前記電源ラインへの電源電圧供給を遮断することが可能な電源装置とを含む回路装置で発生する、前記第１回路ブロックから前記第２回路ブロックに流れ込む漏洩電流の有無を検出する漏洩電流検出方法であって、
前記電源ラインの電圧が所定値を超えた際に検出信号を出力する出力ステップと、
前記出力ステップで前記検出信号を出力すると警告を発する警告ステップと、を含む漏洩電流検出方法。
【請求項５】
請求項４に記載の漏洩電流検出方法において、
前記所定値を所望の値に変更する変更ステップをさらに含む、漏洩電流検出方法。
【請求項６】
請求項４または５に記載の漏洩電流検出方法において
前記出力ステップは、
前記電源ラインの電圧が所定値を超えると前記検出信号を出力する検出信号出力ステップと、
前記検出信号出力ステップで出力した検出信号を、前記電源装置が前記第２電源電圧の前記電源ラインへの供給を遮断している際にのみ出力する検出信号出力制御ステップと、を含み、
前記警告ステップは、前記検出信号出力制御ステップで前記検出信号が出力されると前記警告を発する、漏洩電流検出方法。
【発明の詳細な説明】
【技術分野】
【０００１】
本発明は、回路装置および漏洩電流検出方法に関し、特には、複数の回路ブロックのそれぞれが互いに異なる電源を利用して動作する回路装置において漏洩電流が流れ込んでいる回路ブロックを検出可能な回路装置および漏洩電流検出方法に関する。
【背景技術】
【０００２】
従来、回路ブロックごとに異なる電源を使用する回路装置が知られている。この回路装置では、消費電力および発熱を抑える目的のために、例えば、動作する必要のない時期になっている特定の回路ブロックに対して、電源供給を遮断あるいは電源電圧を減じる手法が行われる場合がある。なお、例えば、動作する必要のない時期になっている回路ブロックに対して電源供給を遮断しているあるいは電源電圧を減じている回路装置の状態は、一般に「待機状態」または「スタンバイ状態」と呼称される。
【０００３】
以下では、電源が供給されている回路ブロックを「通電回路ブロック」と称し、電源供給が遮断されているあるいは電源電圧が減じられている回路ブロックを「非通電回路ブロック」と称する。
【０００４】
しかし、通電回路ブロック（スタンバイ回路ブロック）の出力信号線が非通電回路ブロック（被遮断回路ブロック）の入力端子に接続されている状況で、通電回路ブロックの出力信号の電圧が所定値より高くなると、通電回路ブロックから出力信号線を通じて非通電回路ブロックへ電流が漏れてしまう場合がある。
【０００５】
なお、非通電回路ブロックに漏れる電流の多くは、非通電回路ブロックの入力端子から非通電回路ブロックに設けられている半導体素子の入力過電圧保護ダイオードまたは非通電回路ブロックの寄生ダイオードを介して非通電回路ブロックの電源ラインへ抜ける。
【０００６】
通電回路ブロックから出力信号線を通じて非通電回路ブロックへ電流が漏れてしまうと、スタンバイ状態が実施されても、無駄な電流が非通電回路ブロックで消費され、省電力化の妨げとなってしまう。
【０００７】
半導体素子の大規模化により出力信号線の数が増え、かつ、省電力ニーズによりスタンバイ状態を実施する回路装置が増えている現状では、通電回路ブロックから非通電回路ブロックへ流れる漏洩電流が発生する確率は高くなっている。
【０００８】
通電回路ブロックから非通電回路ブロックへ流れる漏洩電流を解消するために、以下の手法が用いられている。
【０００９】
第１の手法は、漏洩電流が通電回路ブロックから信号線を介して非通電回路ブロックへ流れる場合に、通電回路ブロックの出力信号線と接続されている回路ブロックが非通電状態になったときに通電回路ブロックの出力電圧を所定値より低くする制御部を回路装置に追加する手法である。なお、制御部は、ソフトウエアまたは論理回路により実現される。
【００１０】
第２の手法は、非通電回路ブロックの信号入力部として、漏洩電流の経路になる入力過電圧保護ダイオードおよび寄生ダイオードを省いた素子を使用する、または、そのような素子を、中継素子として、非通電回路ブロックの入力端子と非通電回路ブロックの電源ラインとの間に設ける手法である。実際、漏洩電流の防止目的にダイオードを省いた中継素子が多く存在する。
【００１１】
第１の手法および第２の手法は、非通電状態となったときに漏洩電流が流れ込む回路ブロックの存在が認識された後に実行される。このため、第１の手法または第２の手法が実行される際には、非通電状態となったときに漏洩電流が流れ込む回路ブロックを特定する技術が必要となる。
【００１２】
なお、漏洩電流の検出に関しては、警戒電路から出力された漏洩電流を検出する漏電検出回路が知られている（特許文献１（特開２００２−１５９１３４号公報）、特許文献２（特開平５−１９００７６号公報）および特許文献３（特開平６−２４２１７号公報）参照）。
【００１３】
ここで、通電回路ブロックから非通電回路ブロックへ流れる漏洩電流が、回路装置の設計者の設計思想にも起因していることを補足しておく。
【００１４】
一般に、スタンバイ状態を有する回路装置では、回路ブロックの電源ラインの電源電圧がその回路ブロックの動作仕様を満たす状況のときに、その回路ブロックの入力端子に入力信号の電圧は、その回路ブロックの入力端子側のダイオードに電流が流れない値になるように設計されている。その理由は、通常の設計者は、回路ブロックの入力端子に入力される信号の電圧が、その回路ブロックの許容入力電圧範囲に収まるように設計しているからである。
【００１５】
しかし、その設計は、ダイオードによる漏洩電流への注意ではなく、回路ブロックの動作異常あるいは破壊に対する懸念のみに基づいて行われる。
【００１６】
さらに、十分な電源が供給されている状態と電源が遮断されている状態とで回路ブロックの許容入力電圧範囲が変化することを、設計者が十分に理解している訳ではなく、回路ブロックの入力許容電圧範囲が電源遮断時に悪化することに気付いていない場合も見受けられる。
【特許文献１】特開２００２−１５９１３４号公報
【特許文献２】特開平５−１９００７６号公報
【特許文献３】特開平６−２４２１７号公報
【発明の開示】
【発明が解決しようとする課題】
【００１７】
特許文献１ないし３に記載の技術では、漏洩電流の発生源を特定することは可能であるが、漏洩電流の影響を受けている回路を特定することは困難である。このため、特許文献１ないし３に記載の技術では、非通電状態となったときに漏洩電流が流れ込む回路ブロックを特定することは困難である。
【００１８】
なお、非通電状態となったときに漏洩電流が流れ込む回路ブロックが漏洩電流によって破壊される場合、その回路ブロックは容易に検出されるが、その回路ブロックが漏洩電流によって破壊されない場合、その回路ブロックの検出は困難となる。このため、非通電状態となったときに漏洩電流が流れ込む回路ブロックを容易に発見する技術が望まれている。
【００１９】
本発明の目的は、非通電状態となった回路ブロックに漏洩電流が流れ込んでいるか否かを検出することが可能な回路装置および漏洩電流検出方法を提供することである。
【課題を解決するための手段】
【００２０】
上記の目的を達成するため、本発明の回路装置は、回路ブロックに漏洩電流が流れ込んでいるか否かを検出可能な回路装置であって、第１電源電圧が供給される第１回路ブロックと、第２回路ブロックと、前記第１回路ブロックの出力端子と前記第２回路ブロックの入力端子との間に設けられた信号線と、前記第２の回路ブロックに電源電圧を供給する電源ラインと、前記第２回路ブロックの入力端子と前記電源ラインとの間に設けられたダイオードと、前記電源ラインに前記第２回路ブロックの最低動作許容電圧以上の第２電源電圧を供給可能であり、かつ、前記第１回路ブロックに前記第１電源電圧が供給されている際に前記電源ラインの電圧を前記最低動作許容電圧より低くする、あるいは前記電源ラインへの電源電圧供給を遮断することが可能な電源装置と、前記電源ラインの電圧が所定値を超えた際に検出信号を出力する電源電圧監視部と、前記電源電圧監視部が前記検出信号を出力すると警告を発する警告部とを含む。
【００２１】
また、本発明の漏洩電流検出方法は、第１電源電圧が供給される第１回路ブロックと、第２回路ブロックと、前記第１回路ブロックの出力端子と前記第２回路ブロックの入力端子との間に設けられた信号線と、前記第２の回路ブロックに電源電圧を供給する電源ラインと、前記電源ラインに前記第２回路ブロックの最低動作許容電圧以上の第２電源電圧を供給可能であり、かつ、前記第１回路ブロックに前記第１電源電圧が供給されている際に前記電源ラインの電圧を前記最低動作許容電圧より低くする、あるいは前記電源ラインへの電源電圧供給を遮断することが可能な電源装置とを含む回路装置で発生する、前記第１回路ブロックから前記第２回路ブロックに流れ込む漏洩電流の有無を検出する漏洩電流検出方法であって、前記電源ラインの電圧が所定値を超えた際に検出信号を出力する出力ステップと、前記出力ステップで前記検出信号を出力すると警告を発する警告ステップとを含む。
【００２２】
上記の発明によれば、電源ラインの電圧が所定値を超えた際に検出信号が出力されて警告が発せられる。第１回路ブロックにのみ第１電源電圧が供給されている際に電源ラインの電圧が最低動作許容電圧より低くなっていると、漏洩電流が、第１回路ブロックの出力端子から信号線、第２回路ブロックの入力端子およびダイオードとを介して電源ラインに流れると、第２電源電圧が供給されていない電源ラインの電圧が上昇する。このため、電源ラインの電圧を監視することによって、第２回路ブロックに漏洩電流が流れ込んでいるか否かを確認することが可能になる。
【００２３】
漏洩電流が流れ込んでいる回路ブロックが確認されれば、その回路ブロックに対して、漏洩電流の流入を防止する対策を行うことが可能となり、回路装置の省電力化および回路装置の発熱防止を図ることが可能になる。
【００２４】
また、上記回路装置において、前記電源電圧監視部は、前記所定値が変更可能であることが望ましい。また、上記漏洩電流検出方法において、前記所定値を所望の値に変更する変更ステップをさらに含むことが望ましい。
【００２５】
上記の発明によれば、所定値が変更可能であるため、個々の回路ブロックの特性に応じて、最適な所定値を設定することが可能になる。
【００２６】
また、上記回路装置において、前記電源電圧監視部は、前記電源ラインの電圧が所定値を超えると前記検出信号を出力する電圧値異常検出回路と、前記電圧値異常検出回路が出力した検出信号を、前記電源装置が前記第２電源電圧の前記電源ラインへの供給を遮断している際にのみ前記警告部に供給する検出信号出力制御部とを含み、前記警告部は、前記検出信号出力制御部から前記検出信号が供給されると前記警告を発することが望ましい。
【００２７】
また、上記漏洩電流検出方法において、前記出力ステップは、前記電源ラインの電圧が所定値を超えると前記検出信号を出力する検出信号出力ステップと、前記検出信号出力ステップで出力した検出信号を、前記電源装置が前記第２電源電圧の前記電源ラインへの供給を遮断している際にのみ出力する検出信号出力制御ステップとを含み、前記警告ステップは、前記検出信号出力制御ステップで前記検出信号が出力されると前記警告を発することが望ましい。
【００２８】
上記の発明によれば、漏洩電流に起因して電源ラインの電圧が所定値を超えた際にのみ警告が発せられる。
【発明の効果】
【００２９】
本発明によれば、電源ラインの電圧が所定値を超えた際に検出信号が出力されて警告が発せられる。第１回路ブロックにのみ第１電源電圧が供給されている際に第１回路ブロックの出力端子と前記第２回路ブロックの入力端子との間に設けられた信号線の電圧が、第２回路ブロックの電源ラインの電圧より高くなっていると、漏洩電流が、第１回路ブロックの出力端子から信号線、第２回路ブロックの入力端子およびダイオードとを介して電源ラインに流れると、第２電源電圧が供給されていない電源ラインの電圧が上昇する。このため、電源ラインの電圧を監視することによって、第２回路ブロックに漏洩電流が流れ込んでいるか否かを確認することが可能になる。
【００３０】
漏洩電流が流れ込んでいる回路ブロックが確認されれば、その回路ブロックに対して、漏洩電流の流入を防止する対策を行うことが可能となり、回路装置の省電力化および回路装置の発熱防止を図ることが可能になる。
【発明を実施するための最良の形態】
【００３１】
以下、本発明の実施例を図面を参照して説明する。
【００３２】
図１は、本発明の一実施例の回路装置を示したブロック図である。本回路装置は、複数の回路ブロックが別々の電源を使用して動作し、かつ、ある回路ブロックが動作している間に動作する必要のない時期になっている特定の回路ブロックに対して、その時期の間、電源供給を遮断あるいは電源電圧を減じる待機（スタンバイ）状態を有する。
【００３３】
図１において、回路装置は、第１電源装置１ａから第１電源電圧が供給される電源ライン（送電路）１ｂと、第１回路ブロック２と、信号線２ｂと、第２回路ブロック３と、ダイオード３ａと、電源ライン４ｂと、電源装置４と、操作装置５と、電圧値異常検出回路６と、警告表示装置７と、論理ゲート８とを含む。電圧値異常検出回路６と論理ゲート８とは、電源ライン４ｂの電圧が所定値を超えた際に検出信号を出力する電源電圧監視部９に含まれる。
【００３４】
第１電源装置１ａは、第１回路ブロック２へ電源ライン１ｂを通じて電源電圧を供給する。
【００３５】
第１回路ブロック２は、待機（スタンバイ）状態にて常時通電される。換言すると、第１回路ブロック２は、待機（スタンバイ）状態にて電源ライン１ｂを通じて常時第１電源電圧が供給される。
【００３６】
第１回路ブロック２は、出力回路２ａを含む。出力回路２ａは、電源ライン１ｂを通じて電源電圧が供給されて動作する。出力回路２ａは、出力端子２ａ１から出力信号を出力する。なお、第１回路ブロック２は、出力回路２ａのみを含むものに限らず、出力回路２ａと他の回路とを含んでもよい。
【００３７】
待機状態にて常時通電される第１回路ブロック２は、一般的には「スタンバイ回路」と呼称される。また、第１電源装置１ａは「スタンバイ電源装置」と呼称される。
【００３８】
第２回路ブロック（被遮断回路）３は、電源ライン４ｂから電源電圧を受け付ける。第２回路ブロック３は、待機状態にて電源電圧が遮断される。なお、本発明の適用の結果、電圧異常値であるところの所定値を超えないこと（いわゆる正常）と判明された後においては、第２回路ブロック３は、待機状態にて第２回路ブロックの最低動作許容電圧より低い電源電圧が供給されてもよい。第２回路ブロック３は、非待機状態では、第２回路ブロックの最低動作許容電圧以上の電源電圧が供給される。
【００３９】
第２回路ブロック３は、ダイオード３ａと負荷部３ｂと入力端子３ｃとを含む。
【００４０】
ダイオード３ａは、例えば、入力端子３ｃと電源ライン４ｂとの間に設けられた入力過電圧保護ダイオードである。なお、ダイオード３ａは、入力端子３ｃと電源ライン４ｂとの間に設けられてしまう第２回路ブロック３の寄生ダイオードでもよい。負荷部３ｂは、電源ライン４ｂから供給される電源電圧によって動作する。
【００４１】
入力端子３ｃは、出力端子２ａ１と入力端子３ｃとの間に設けられた信号線２ｂを介して第１回路ブロック２の出力信号を受け付ける。
【００４２】
電源装置４は、第２電源装置４ａと電源ライン４ｂとの間に設けられた開閉器４ｃを含み、開閉器４ｃがオンされると第２電源装置４ａの電源電圧（第２電源電圧）を電源ライン４ｂに供給し、開閉器４ｃがオフされると第２電源装置４ａの電源電圧を電源ライン４ｂに供給しない。
【００４３】
第２電源装置４ａの電源電圧は、第２回路ブロックの最低動作許容電圧以上の電源電圧である。電源装置４は、開閉器４ｃがオフされると電源ライン４の電圧を第２回路ブロックの最低動作許容電圧より小さい電圧（例えば、０Ｖの電圧）にする。電源装置４は「遮断電源装置」と呼称される。
【００４４】
操作装置５は、開閉器４ｃのオンオフを制御するオンオフ制御信号を出力する。開閉器４ｃは、オンオフ制御信号が“１”のときオンし、オンオフ制御信号が“０”のときオフする。なお、オンオフ制御信号が“０”のときも、第１回路ブロック２には電源ライン１ｂを通して電源電圧が供給されている。
【００４５】
電圧値異常検出回路６は、この発明の主な特徴となる部分であり、電源ライン４ｂの電圧が所定値を超えた際に検出信号を出力する。
【００４６】
検出信号出力制御部としての論理ゲート８は、オンオフ制御信号が“０”のとき、換言すると、電源装置４が第２電源装置の電源電圧を電源ライン４ｂに供給していないときに、電圧値異常検出回路６が出力した検出信号を警告表示装置７へ供給する。
【００４７】
なお、論理ゲート８が省略され、電圧値異常検出回路６が出力した検出信号が直接警告表示装置７に供給されるようにしてもよい。
【００４８】
警告表示装置７は、検出信号が供給されると、表示または警報等の警告を発する。なお、警告表示装置７は、スタンバイ電源装置１ａをも含めた回路装置全体の遮断措置を制御するようにしてもよい。
【００４９】
次に、動作を説明する。
【００５０】
第１回路ブロック２の出力端子２ａ１から出力された出力信号は、信号線２ｂを介して第２回路ブロック３の入力端子３ｃへ入力される。
【００５１】
第２回路ブロック３が、入力信号の過電圧保護目的のダイオード（または同等の寄生ダイオード）３ａを有する場合、第１回路ブロック２からの出力信号の電圧値が、第２回路ブロック３の電源である電源ライン４ｂの電圧値にダイオード３ａの順方向電圧を加えた値より高い状態になると、例えば、図１に示したＩｒの経路で、第１回路ブロック２から第２回路ブロック３へと電流が漏洩する。
【００５２】
電源装置４が電源ライン４ｂに対する第２電源装置の電源電圧の供給を停止している状態のときには開閉器４ｃはオフなので、この状態では、第１回路ブロック２から第２回路ブロック３へと漏洩する電流は電源ライン４ｂに蓄積されていき、電源ライン４ｂの電圧値は上昇する。
【００５３】
電圧値異常検出回路６は、電源ライン４ｂにおける電圧の上昇、具体的には、第１回路ブロック２から第２回路ブロック３へと漏洩した電流に起因する電源ライン４ｂの電圧の上昇を検出すると、検出信号を出力する。
【００５４】
例えば、電圧値異常検出回路６は、所定値として、電源装置４が電源ライン４ｂに対して第２電源装置の電源電圧の供給を停止している状態のときの電源ライン４ｂの電圧に、第１回路ブロック２から第２回路ブロック３へと漏洩した電流に起因する電源ライン４ｂの電圧の上昇分を加えた電圧値が設定され、電源ライン４ｂの電圧がその所定値を超えた際に検出信号を出力する。
【００５５】
ただし、正確には、第１回路ブロック２から第２回路ブロック３へ漏洩した電流は、すべて電源ライン４ｂに蓄積されるわけではなく、第２回路ブロック３内外の任意の等価抵抗成分によって漏洩される。このため、第１回路ブロック２から第２回路ブロック３へと漏洩した電流に起因して電源ライン４ｂにて上昇する電圧値は装置ごとに異なる。
【００５６】
ゆえに、電圧値異常検出回路６は、検出閾値としての所定値が変更可能であることが望ましい。
【００５７】
図２は、検出閾値としての所定値が変更可能な電圧値異常検出回路６の一例を示した回路図である。図２において、電圧値異常検出回路６は、出力電圧が変更可能な基準電圧源６ｂと、電源ライン４ｂの電圧を基準電圧源６ｂの出力電圧（所定値）と比較し、電源ライン４ｂの電圧が基準電圧源６ｂの出力電圧を超えた際に検出信号を出力するコンパレータ６ａとを含む。
【００５８】
論理ゲート８は、電源装置４が第２電源装置の電源電圧を電源ライン４ｂに供給していないときに、電圧値異常検出回路６が出力した検出信号を警告表示装置７へ供給する。警告表示装置７は、検出信号が供給されると、表示または警報等の警告を発する。ユーザは、警告表示装置７によって発せられた警告に基づいて、第２回路ブロック３に漏洩電流が流れ込んでいることか否かを確認することができる。
【００５９】
漏洩電流が流れ込んでいる回路ブロックが確認されれば、その回路ブロックに対して、漏洩電流の流入を防止する対策を行うことが可能となり、回路装置の省電力化および回路装置の発熱防止を図ることが可能になる。
【００６０】
図３は、警告表示装置７の一例を示した回路図である。図３において、警告表示装置７は、発光部７ａと抵抗７ｂとを含む。
【００６１】
図４は、電源装置４の一例を示した回路図である。なお、図４において、図１に示したものと同一のものには同一符号を付してある。開閉器４ｃは、図４（ａ）に示したようにバイポーラトランジスタ４ｃ１を用いてもよいし、また、図４（ｂ）に示したようにＦＥＴ４ｃ２を用いてもよい。
【００６２】
また、図中には明記してはいないが、非動作中の回路ブロックに電源電圧を供給する電源ライン４ｂ（電源装置４の２次側出力）の電圧値を監視する監視装置（電源電圧監視部９および警告表示装置７）を駆動する電源装置も必要である。その電源装置には、前記監視装置の動作に必要な要件を満たすのであれば、前記第１電源装置の電源ライン１ｂを接続してもよい。
【００６３】
さらに、本実施例では、非動作中の回路ブロックに漏洩電流が流れるという異常状態を明示するために、論理ゲート８が、検出信号とオンオフ制御信号との論理演算を行い、開閉器４ｃがオフ状態時のみ警告が発せられるように構成されている。
【００６４】
本実施例によれば、漏洩電流が流れ込んでいる回路ブロックを容易に検出することが可能となる。このため、漏洩電流が流れ込んでいる回路ブロックに対してのみ、漏洩電流の流れ込みを防止する対策を施すことが可能となる。したがって、無駄な電流消費を適確に抑制することが可能となり、省電力化の促進および発熱の抑制を図ることが可能となる。
【００６５】
また、漏洩電流が流れ込んでいる回路ブロックとその漏洩電流の原因とを高い精度で特定する場合には、電源系統を適宜分割しかつ電源電圧監視部９による検出箇所を増やして、漏洩電流が流れ込んでいる回路ブロックとその漏洩電流を出力している回路ブロックとを絞り込むことで、漏洩電流が流れ込んでいる回路ブロックとその漏洩電流の原因を高い精度で特定することが可能となる。
【００６６】
本実施例は、電子機器回路を搭載した回路装置の品質検査（漏洩電流検出）に用いられることが可能であり、また、電子機器回路を搭載した回路装置の省電力化検討時の消費電流評価用に用いられることも可能である。
【００６７】
以上説明した実施例において、図示した構成は単なる一例であって、本発明はその構成に限定されるものではない。
【図面の簡単な説明】
【００６８】
【図１】本発明の一実施例の回路装置を示したブロック回路図である。
【図２】電圧値異常検出回路６の一例を示した回路図である。
【図３】警告表示装置７の一例を示した回路図である。
【図４】電源装置４の一例を示した回路図である。
【符号の説明】
【００６９】
１ａ      第１電源装置
１ｂ      電源ライン
２        第１回路ブロック
２ａ      出力回路
２ａ１    出力端子
２ｂ      信号線
３        第２回路ブロック
３ａ      ダイオード
３ｂ      負荷部
３ｃ      入力端子
４        電源装置
４ａ      第２電源装置
４ｂ      電源ライン
４ｃ      開閉器
４ｃ１    バイポーラトランジスタ
４ｃ２    ＦＥＴ
５        操作装置
６        電圧値異常検出回路
６ａ      コンパレータ
６ｂ      基準電圧源
７        警告表示装置
７ａ      発光部
７ｂ      抵抗
８        論理回路
９        電源電圧監視部
【図１】
2005351647.tif 000003
【図２】
2005351647.tif 000004
【図３】
2005351647.tif 000005
【図４】
2005351647.tif 000006